(57)【特許請求の範囲】
【請求項１】
温風暖房装置内の板金部品に基板支持片を切り起こして複数形成し、制御基板の一端を前記基板支持片に係合させる温風暖房装置に於いて、前記板金部品を折り曲げてその一方に制御基板を配置する機器正面部を設け、折り曲げた他方に基板支持片が切り起こされて複数形成されている基板支持部を設けると共に、板金部品の折り曲げた部分で各基板支持片の近傍にリブ状の突出部を複数形成させ、前記制御基板の一端の上部と係合する上部基板支持片より下の位置に形成した上部突出部を、他の突出部より大きく形成したことを特徴とする温風暖房装置。
【請求項２】
前記制御基板の他端にピン差し込み穴を形成し、機器正面部にピン差し込み穴と係合する基板取り付け用ピンを設けたことを特徴とする請求項１記載の温風暖房装置。
【発明の詳細な説明】
【技術分野】
【０００１】
この発明は、燃焼ガスをそのまま室内に温風として放出し室内の暖房を行う温風暖房装置に関するものである。
【背景技術】
【０００２】
従来からこの種のものに於いては、本体内に収納するカートリッジ式タンクを囲むタンクガイドに、温風暖房装置の制御部を構成する制御基板をピンやネジ等の固定金具により取り付けていた。（例えば、特許文献１参照。）
【０００３】
また制御基板の取り付け方法として、制御基板を取り付けるパネルに爪部を形成し、その爪部に制御基板に形成した凹部を係合させて制御基板を取り付けていた。（例えば、特許文献２参照。）
【先行技術文献】
【特許文献】
【０００４】
【特許文献１】特開２０００−９７４９５号公報
【特許文献２】実開昭６１−１４０５９２号公報
【発明の概要】
【発明が解決しようとする課題】
【０００５】
ところでこの従来のものでは、本体内に収納するカートリッジ式タンクを囲むタンクガイドを切り起こして複数の爪部を形成し、制御基板の一端側を複数の爪部が係合して制御基板を支持し、制御基板の他端側をピンやネジ等の固定金具によりタンクガイドに固定することにより、制御基板をタンクガイドに取り付けていたが、製品の組み立て工程で誤って制御基板の一端側がタンクガイドを切り起こして形成した爪部と係合せずに爪部とタンクガイドとの間に挟まり、制御基板の他端側がピンやネジ等の固定金具によりタンクガイドに固定された場合、制御基板の裏側の半田部分が金属板金のタンクガイドと接触し、制御基板がショートしてしまうという問題があった。
【課題を解決するための手段】
【０００６】
この発明はこの点に着目し上記課題を解決する為、特にその構成を請求項１では、温風暖房装置内の板金部品に基板支持片を切り起こして複数形成し、制御基板の一端を前記基板支持片に係合させる温風暖房装置に於いて、前記板金部品を折り曲げてその一方に制御基板を配置する機器正面部を設け、折り曲げた他方に基板支持片が切り起こされて複数形成されている基板支持部を設けると共に、板金部品の折り曲げた部分で各基板支持片の近傍にリブ状の突出部を複数形成させ、前記制御基板の一端の上部と係合する上部基板支持片より下の位置に形成した上部突出部を、他の突出部より大きく形成したものである。
【０００７】
又請求項２に係る温風暖房装置では、特にその構成を請求項１に於いて、前記制御基板の他端にピン差し込み穴を形成し、機器正面部にピン差し込み穴と係合する基板取り付け用ピンを設けたものである。
【発明の効果】
【０００８】
この発明の請求項１によれば、温風暖房装置内の板金部品に基板支持片を切り起こして複数形成し、制御基板の一端を前記基板支持片に係合させる温風暖房装置に於いて、前記板金部品を折り曲げてその一方に制御基板を配置する機器正面部を設け、折り曲げた他方に基板支持片が切り起こされて複数形成されている基板支持部を設けると共に、板金部品の折り曲げた部分で各基板支持片の近傍にリブ状の突出部を複数形成させ、前記制御基板の一端の上部と係合する上部基板支持片より下の位置に形成した上部突出部を、他の突出部より大きく形成したので、
制御基板が先端側の基板支持片と機器正面部との間に位置しようとすると、基板支持片の先端側の近傍の突出部に制御基板が当接して、制御基板の裏面の半田面が機器正面部に接触するのを防止して制御基板がショートしないようにすることが出来るものである。
【０００９】
又、本発明の請求項２に記載の温風暖房装置によれば、制御基板の他端にピン差し込み穴を形成し、機器正面部にピン差し込み穴と係合する基板取り付け用ピンを設けたので、制御基板が先端側の基板支持片と機器正面部との間に位置しようとすると、基板支持片の先端側の近傍の突出部に制御基板が当接して、制御基板のピン差し込み穴と機器正面部に固定された基板取り付け用ピンの位置が合わず制御基板を組み付けられないので、組み立ての作業者は制御基板が基板支持片に正確に支持されていないことがわかり、制御基板の誤組み付けを防止することができるものである。
【図面の簡単な説明】
【００１０】
【図１】この発明の一実施形態を示す温風暖房装置の正面図。
【図２】同前パネルを取り外した温風暖房装置の正面図。
【図３】同タンク遮熱板の正面図。
【図４】同側面図。
【図５】同制御基板を組み付けたタンク遮熱板の正面図。
【図６】同側面図。
【発明を実施するための形態】
【００１１】
次に、本発明に係る発明の１実施形態を図面に基づいて説明する。
１は温風暖房機本体で、２は前面上部に備えられた操作部、３は温風を案内するルーバ４が取り付けられた温風吹出口、５は前記温風取入口（図示せず）と温風吹出口３とを連通する送風ボックス、６は前記送風ボックス５内にバーナヘッド（図示せず）を突出して設けられたバーナ部、７は前記バーナヘッドを囲堯して燃焼空間を形成する燃焼筒、８はバーナ部６と燃焼筒７が取り付けられた燃焼筒基板で、送風ボックス８に取り付けられるものである。
【００１２】
前記機器本体１の外装体は、前面を覆う前パネル９と、上面を覆う上面板１０と、側面及び背面を覆う背面板１１とを置き台１２の上に固定して構成されている。
【００１３】
１３は機器本体１内に設けられ、油などの液体燃料を供給するカートリッジ式タンク（図示せず）を収納するタンク収納部（図示せず）を形成する板金からなるタンク遮熱板で、バーナ部６の熱によりカートリッジ式タンクが過熱されるのを防止するものである。
【００１４】
前記タンク遮熱板１３は、略Ｌ字状に曲げられて機器正面部１４と機器側面部１５を形成し、前記機器正面部１４と機器側面部１５と機器本体１の側面及び背面を覆う背面板１１とでタンク収納部（図示せず）を形成するもので、機器正面部１４の端部は更に略直角に曲げられて制御基板１６の一端を支持する基板支持片１７が切り起こされて複数形成されている基板支持部１８を形成すると共に、更に基板支持部１８の端部は更に略直角に曲げられて背面板１１の側面部分の先端部とねじ１９にて係合する側面取り付け部２０を形成し、機器側面部１５の端部も更に略直角に曲げられて背面板１１の背面部分とねじ（図示せず）にて係合する背面取り付け部２１を形成するものである。
【００１５】
前記基板支持片１７は、切り起こした切り起こし片の形状が略Ｖ字状に形成され、その略Ｖ字状の部分で制御基板１６の一端の上部を狭持する上部基板支持片１７ａと、切り起こした切り起こし片の形状が略Ｖ字状に形成され、その略Ｖ字状の部分で制御基板１６の一端の略中央部を狭持する中部基板支持片１７ｂと、切り起こした切り起こし片の形状が略Ｖ字状に形成され、その切り起こし片に制御基板１６の一端の角部分が当接することで制御基板１６を支持すると共に、略Ｖ字状の両側を更に上方向に折り曲げて、その左右の折り曲げた部分で制御基板１６の一端の下部を狭持する下部基板支持片１７ｃとからなるものである。
【００１６】
２２は基板取り付け用ピンで、一端が機器正面部１４に形成されたピン用穴２３に差し込まれて機器正面部１４に固定され、他端は制御基板１６のピン差し込み穴２４に差し込まれて制御基板１６の他端側を支持するものである。
【００１７】
２５は上部突出部で、機器正面部１４と基板支持部１８との曲げ部分を三角リブ状に突出させて形成したもので、機器正面部１４と基板支持部１８との曲げ部分で上部基板支持片１７ａの位置より下の位置に形成され、機器正面部１４と基板支持部１８との曲げ部分の強度を向上させると共に、制御基板１６の先端部分が上部基板支持片１７ａと機器正面部１４の間に位置しようとするとこの上部三角リブ２５に当接して制御基板１６の裏面の半田面が機器正面部１４に接触するのを防止して制御基板１６がショートしないようにするもので、他の突出部よりも大きく形成されているものである。
【００１８】
２６は中部突出部で、機器正面部１４と基板支持部１８との曲げ部分を三角リブ状に突出させて形成したもので、機器正面部１４と基板支持部１８との曲げ部分で中部基板支持片１７ｂの位置付近に形成され、機器正面部１４と基板支持部１８との曲げ部分の強度を向上させるものであり、２７は下部突出部三角で、機器正面部１４と基板支持部１８との曲げ部分を三角リブ状に突出させて形成したもので、機器正面部１４と基板支持部１８との曲げ部分で下部基板支持片１７ｃの位置付近に形成され、機器正面部１４と基板支持部１８との曲げ部分の強度を向上させるものである。
【００１９】
２８はこのカートリッジ式タンクからの燃料を一時的に溜め置く固定タンク、２９は固定タンク２８内の燃料を送油管３０介してバーナ部６へ圧送する電磁ポンプ、３１は燃焼用空気を送風管３２を介して送風する燃焼ファンである。
【００２０】
次に制御基板１６の取り付け作業について説明する。 
まず略長方形状の制御基板１６で基板支持片１７と係合させる側の上部を、上部基板支持片１７ａの略Ｖ字状の部分に狭持させ、制御基板１６で基板支持片１７と係合させる側の中央部を、中部基板支持片１７ｂの略Ｖ字状の部分に狭持させ、制御基板１６で基板支持片１７と係合させる側の下部を下部基板支持片１７ｃの略Ｖ字状の両側の上方向に折り曲げた部分に狭持させると共に、制御基板１６で基板支持片１７と係合させる側の下の角部が下部基板支持片１７ｃの上に載るようにする。
【００２１】
この時、制御基板１６で基板支持片１７と係合させる側の上部が、上部基板支持片１７ａの略Ｖ字状の部分に狭持させる正常の組み付けでは、制御基板１６と上部突出部２５は当接せず、制御基板１６が正常な位置にあるので、その状態では制御基板１６のピン差し込み穴２４と機器正面部１４に固定された基板取り付け用ピン２２の位置が合っているので、その状態で組み立ての作業者は機器正面部１４に固定された基板取り付け用ピン２２にピン差し込み穴２４を差し込んで制御基板１６の取り付けを完了する。
【００２２】
しかし、制御基板１６で基板支持片１７と係合させる側の上部が上部基板支持片１７ａの略Ｖ字状の部分に狭持されず、制御基板１６の先端部分が上部基板支持片１７ａと機器正面部１４の間に位置するような誤った組み付けをすると、制御基板１６の先端部分が上部突出部２５に当接して制御基板１６が正常な位置にならず、制御基板１６のピン差し込み穴２４と機器正面部１４に固定された基板取り付け用ピン２２の位置が合わず制御基板１６を組み付けられないので、組み立ての作業者は制御基板１６で基板支持片１７と係合させる側の上部が上部基板支持片１７ａの略Ｖ字状の部分に狭持されていないことがわかり、制御基板１６の誤組み付けを防止できるものである。
【００２３】
それにより制御基板１６の半田面が金属板金のタンク遮熱板１３と接触し、制御基板１６がショートしてしまうのを防止することができるものである。
【符号の説明】
【００２４】
１４  機器正面部
１６  制御基板
１７  基板支持片
１８  基板支持部
２５  上部突出部
【図１】
0005694864.tif 000002
【図２】
0005694864.tif 000003
【図３】
0005694864.tif 000004
【図４】
0005694864.tif 000005
【図５】
0005694864.tif 000006
【図６】
0005694864.tif 000007